(57)【要約】【課題】貯水のための手段を別途に設けることなく、簡単な構成で、必要な水位の雨水を確実に貯水することができる貯水装置を提供する。【解決手段】建物２の屋根３から受けた雨水を、立て樋１０の下端部１０ａに設けられる開閉手段６が、予め定める設定水位に基づいて立て樋１０内の水路を開閉する。雨水は、予め定める設定水位を超えないとき、立て樋１０内に貯水され、設定水位を超えると排水路４に導かれる。これによって貯水のための手段を別途に設けることなく、簡単な構成で、予め定める水位の雨水を立て樋１０内に確実に貯水することができる。また貯水された雨水を取水手段７によって取り出すことによって、たとえば洗車および草木への散布などに有効に利用することができる。【選択図】      図１
2004211385.tif 000002
【特許請求の範囲】
【請求項１】
略鉛直に設けられ、建物の屋根から受けた雨水を排水路に導く立て樋を有する樋体と、
立て樋の下端部に設けられ、立て樋内の雨水の水位が予め定める設定水位以上になると開放可能に、立て樋内の水路を閉塞する開閉手段と、
開閉手段よりも上方に設けられ、立て樋内の雨水を取り出すための取水手段とを含むことを特徴とする貯水装置。
【請求項２】
前記開閉手段は、立て樋内の雨水の水位が前記設定水位以上になると、立て樋内の雨水とともに沈殿物を排出可能に水路を開放することを特徴とする請求項１記載の貯水装置。
【請求項３】
立て樋内の雨水に銅イオンを与えるための銅イオン供給手段をさらに含むことを特徴とする請求項１または２記載の貯水装置。
【請求項４】
樋体は、上方に開放し、建物の屋根から雨水を受ける受樋をさらに有し、
前記設定水位よりも上方に設けられ、雨水を一時的に貯留するための一時貯水手段をさらに含むことを特徴とする請求項１〜３のいずれかに記載の貯水装置。
【発明の詳細な説明】
【０００１】
【発明の属する技術分野】
本発明は、雨水を貯水する貯水装置に関する。本発明において、用語「略鉛直」は、鉛直を含み、用語「略垂直」は、垂直を含み、用語「略平行」は、平行を含む。
【０００２】
【従来の技術】
第１の従来技術の貯水装置では、呼び樋の下方に、貯水タンクが設けられる。呼び樋と貯水タンクとは、環状の支持リングと３本のシャフトとから成るガイドフレームによって連結される。雨水は、呼び樋から貯水タンクに導かれて貯水される。また貯水タンクの上方側端部には、遮光板を備える網が設けられる（たとえば特許文献１参照）。
【０００３】
第２の従来技術の貯水装置では、前述の第１の従来技術の貯水装置と同様に、貯水タンクが、呼び樋の下方に設けられる。貯水タンクは、建物の基礎によって下端部が固定され、建物の外壁によって側部が固定される。貯水タンクには、通水管、ドレーン管およびオーバーフロー管が設けられる。貯水タンク内の雨水は、通水管によって取水される。貯水タンク内の濁り水は、ドレーン管によって排出される。貯水タンクで貯水可能な貯水量を超えた余分な雨水は、オーバーフロー管によって排出される。ドレーン管には、バルブなどの開閉手段が設けられ、この開閉手段を利用者が操作することによって濁り水を排出して、貯水タンク内のメンテナンスが行われる（たとえば特許文献２参照）。
【０００４】
第３の従来技術の貯水装置では、第２の従来技術の貯水装置における貯水タンクが建物の外壁で側部が固定される代わりに、呼び樋と貯水タンクとが、前記ガイドフレームによって相互に固定される（たとえば特許文献３参照）。第４の従来技術の貯水装置では、複数本の貯水タンクが、水平方向に平行に、建物の外壁に設けられる。貯水タンクで貯水可能な貯水量を超えた余分な雨水は、オーバーフロー管によって排水溝に導かれる。さらに貯水タンクには、貯水される雨水をトイレ用タンクに導くためのパイプと、降雨当初に貯水タンク内を清掃するためのパイプとが設けられる。前記２つのパイプには、バルブなどの開閉手段が設けられる（たとえば特許文献４参照）。
【０００５】
第５の従来技術の貯水装置では、貯水タンクが、立て樋の外部に別途に設けられる。雨水は、立て樋から貯水タンクに導かれて貯水される。貯水タンクの外側部には、取水部、廃水部および水位計が設けられる。貯水される雨水は、取水部から取水される。貯水タンク内に溜まった廃水は、バルブを有する廃水部から排出される。貯水される雨水の貯水量は、水位計で確認される。廃水は、利用者がバルブを操作することによって、排出され、これによって貯水タンク内のメンテナンスが行われる。また貯水タンクは、遮光されている（たとえば特許文献５または６参照）。
【０００６】
また第６の従来技術の貯水装置では、貯水タンクが立て樋の外部に別途に設けられる。立て樋内には、弁装置が設けられる。貯水タンクには、貯水タンク内の雨水の貯水量に連動して上下動するフロート機構とを有する。フロート機構は、フロートおよび磁石を有する。フロートは、貯水タンク内の貯水量に応じて上下動する。磁石は、立て樋の側部を内側と外側とから挟んで設けられ、フロートの上下動に伴って立て樋の側部に沿って上下動する。立て樋内の弁装置は、磁石が立て樋の側部に沿って上下動することによって開閉する。これによって雨水が、貯水タンクに貯水されるとともに、立て樋から排水溝に導かれる。（たとえば特許文献７参照）。
【０００７】
【特許文献１】
特開平９−１１１８１５号公報
【特許文献２】
特開平９−０７１９８０号公報
【特許文献３】
特開２００２−０５４１８８号公報
【特許文献４】
特開２０００−３０３５０９号公報
【特許文献５】
特開２００１−２７９７２８号公報
【特許文献６】
特開２００１−２７９７２９号公報
【特許文献７】
特開２００２−２６６３８１号公報
【０００８】
【発明が解決しようとする課題】
前述の第１〜第６の従来技術の貯水装置では、貯水するための貯水タンクを樋体とは別途に設けたり、利用者がバルブを操作して開放することによって、汚泥などの沈殿物を貯水タンクの外部に排出している。このように建物の屋根からの雨水を排水路に導くための樋体を、雨水を貯水する手段として用いる発想はなく、また所望の水位の雨水を確保し、かつメンテナンスを自動的に行うことができる構成になっていない。これによって装置を配設するためのスペースが余分に必要になったり、構成が複雑になるなどの不具合が生じるとともに、利用者が定期的にメンテナンスをする必要があり、メンテナンス性が低い。また貯水タンクを遮光したり、網を用いるなどして貯水タンク内の雨水を清潔に維持しようとしているけれども、細菌などの非常に微細なものの繁殖を抑えることができない可能性があり、雨水を長期間にわたって清潔に維持することができない。
【０００９】
本発明の目的は、貯水のための手段を別途に設けることなく、簡単な構成で、必要な水位の雨水を確実に貯水することができる貯水装置を提供することである。
【００１０】
【課題を解決するための手段】
請求項１記載の本発明は、略鉛直に設けられ、建物の屋根から受けた雨水を排水路に導く立て樋を有する樋体と、
立て樋の下端部に設けられ、立て樋内の雨水の水位が予め定める設定水位以上になると開放可能に、立て樋内の水路を閉塞する開閉手段と、
開閉手段よりも上方に設けられ、立て樋内の雨水を取り出すための取水手段とを含むことを特徴とする貯水装置である。
【００１１】
本発明に従えば、建物の屋根から受けた雨水は、略鉛直に設けられる樋体の立て樋によって排水路に導かれる。立て樋の下端部には、立て樋内の水路を開放および閉塞可能な開閉手段が設けられる。この開閉手段は、立て樋内の雨水の水位が予め定める設定水位以上になると開放可能に、立て樋内の水路を閉塞する。開閉手段の上方には、取水手段が設けられ、この取水手段によって、立て樋内の雨水が取り出される。建物の屋根から受けた雨水は、立て樋内の雨水の水位が予め定める設定水位に満たないときには、立て樋内の水路が開閉手段によって閉塞されているので、排水路に導かれることなく立て樋内に貯水される。これによって所望の水位になるまで、雨水を立て樋内に確実に貯水することができる。また雨水が長時間にわたって立て樋に導かれた場合であっても、立て樋内の雨水の水位が設定水位以上になると、開閉手段が立て樋内の水路を開放するので、雨水が立て樋から溢れ出るなどの不具合が発生することを防止して、一定の水位を保持することができる。このように雨水が立て樋内に貯水されるので、タンクなどの貯水のための手段を、建物の樋体とは別途に設ける必要がなく、配置するためのスペースを余分に取る必要がない。さらに立て樋に開閉手段を設けるだけの簡単な構成で、予め定める水位の雨水を貯水することができる。したがってタンクなどの貯水のための手段を別途に設けることなく、簡単な構成で、必要な水位の雨水を立て樋内に確実に貯水することができる。また貯水された雨水を取水手段によって取り出すことによって、たとえば洗車および草木への散布などに有効に利用することができる。
【００１２】
請求項２記載の本発明は、前記開閉手段は、立て樋内の雨水の水位が前記設定水位以上になると、立て樋内の雨水とともに沈殿物を排出可能に水路を開放することを特徴とする。
【００１３】
本発明に従えば、前記開閉手段は、立て樋内の雨水の水位が前記設定水位以上になると、立て樋内の雨水とともに沈殿物を排出可能に水路を開放する。このように立て樋内の雨水の水位に応じた開閉手段の水路の開放動作によって、立て樋内の下方に溜まった汚泥などの沈殿物が、雨水とともに排水路に自動的に導かれる。これによって沈殿物を取り除くための特別な手段を別途に設けることなく、立て樋内の雨水の水位を調整する手段を用いて、立て樋内のメンテナンスを自動的に行うことができる。したがってコストを削減することができるとともに、利用者によるメンテナンスを不要にすることができる。
【００１４】
請求項３記載の本発明は、立て樋内の雨水に銅イオンを与えるための銅イオン供給手段をさらに含むことを特徴とする。
【００１５】
本発明に従えば、貯水装置は、立て樋内の雨水に銅イオンを与えるための銅イオン供給手段をさらに含む。これによって立て樋内の雨水を長期間にわたって貯水する場合であっても、銅イオン供給手段による銅イオンによって、藻類および菌類を死滅させることができる。したがって立て樋内の雨水を、長期間にわたって清潔に維持することができるとともに、貯水装置のメンテナンス性をさらに向上することができる。
【００１６】
請求項４記載の本発明は、樋体は、上方に開放し、建物の屋根から雨水を受ける受樋をさらに有し、
前記設定水位よりも上方に設けられ、雨水を一時的に貯留するための一時貯水手段をさらに含むことを特徴とする。
【００１７】
本発明に従えば、樋体は、上方に開放し、建物の屋根から雨水を受ける受樋をさらに有する。建物の屋根からの雨水は、受樋を介して立て樋に導かれる。設定水位よりも上方には、雨水を一時的に貯留するための一時貯水手段が設けられる。たとえば短時間で多量の雨が降り、開閉手段で排出可能な流量よりも大きな流量の雨水が受樋から導かれると、余剰分の雨水が立て樋から溢れ、最終的に受樋から溢れ出るおそれがある。これに対して一時貯留手段によって余剰分の雨水が一時的に貯留されるので、雨水が受樋から溢れ出る不具合を解消することができる。
【００１８】
【発明の実施の形態】
図１は、本発明の実施の一形態である貯水装置１を簡略化して示す断面図である。図２は、貯水装置１が備えられる建物２を簡略化して示す断面図である。図３は、建物２を簡略化して示す側面図である。図４は、貯水装置１が、雨水を排水管に導くときの動作を説明するための図である。図１および図４に示す貯水装置１において、厚みを部分的に省略して示す。貯水装置１は、雨水を貯水するため装置である。貯水装置１は、たとえば図２および図３に示す一般家屋などの建物２に設けられる。一般家屋などの建物２の屋根３は、むねを構成する一端部３ａから、他端部３ｂに向かうにつれて下方に傾斜するように、勾配がつけられている。建物２は、鉛直方向Ａに平行に配置されかつ後述の立て樋１０が設けられる側壁１１を有する。
【００１９】
屋根３で受けた雨水は、屋根３の一端部３ａから他端部３ｂに向けて流れ、貯水装置１に導かれて貯水される。貯水装置１で貯水された雨水は、たとえば洗車したり、草木に与えたり、トイレの便器を洗い流すなどして再利用される。貯水装置１は、排水路４に接続されており、余分な雨水を排水路４に排出する。排水路４は、市町村などが所有する公共の排水管４ａと、後述する私有排水管４ｂとを含んで構成される。貯水装置１は、樋体５、開閉手段６および取水手段７を含んで構成される。
【００２０】
樋体５は、屋根３から受けた雨水を、公共の排水管４ａに導く。樋体５は、略鉛直に設けられる立て樋１０を有する。立て樋１０は、有底筒状に形成される。本実施の形態では、立て樋１０は、その軸線方向に垂直な断面形状が円形状に形成される。立て樋１０は、その軸線Ｌ１０が略鉛直に配置され、建物２の側壁１１に沿って設けられる。立て樋１０が建物２に設けられる状態で、立て樋１０は、地表面１２と側壁１１の上端部近傍とにわたって延びて配置される。立て樋１０は、たとえば建物２の複数の側壁１１によって構成される角部近傍に設けられる。
【００２１】
立て樋１０は、建物２に設けられる状態で、下端部１０ａに底部である円板状の立て樋底部１３を有し、上端部１０ｂが開放して設けられる。立て樋１０の立て樋底部１３には、その中央部に底部透孔１３ａが形成される。底部透孔１３ａは、たとえば軸線方向および周方向に沿った周縁部を有する円形状であり、軸線方向に沿って貫通する。底部透孔１３ａは、たとえばその内径が５０ミリメートル程度に形成される。
【００２２】
立て樋１０は、その下端部１０ａで、私有排水管４ｂに接続される。私有排水管４ｂは、公共の排水管４ａに接続される。私有排水管４ａの内径は、たとえば５０ミリメートル程度である。貯水装置１は、立て樋１０内の雨水の水位が予め定められる設定水位以上になると、余分な雨水を排水路４に排出する。立て樋１０内の雨水の水位は、立て樋底部１３からの水面の位置である。前記設定水位は、たとえば立て樋１０の上端部１０ｂ近傍に設定される。
【００２３】
樋体５は、一時貯留手段である一時貯留管８をさらに含む。一時貯留管８は、設定水位に対応する位置よりも上方に設けられ、雨水を一時的に貯留する。一時貯留管８は、大略的に有底筒状に形成され、その軸線Ｌ８が立て樋１０の軸線Ｌ１０と同軸にして、立て樋１０の上端部１０ｂに設けられる。本実施の形態では、一時貯留管８は、その軸線に垂直な断面形状が円形状に形成される。一時貯留管８は、その内径が立て樋１０の内径に比べて大きくなるように形成される。
【００２４】
一時貯留管８は、立て樋１０に設けられる状態で、下端部８ａに底部である円板状の貯留管底部９を有し、上端部８ｂが開放して設けられる。貯留管底部９には、その中央部に貯留管透孔９ａが形成される。貯留管透孔９は、たとえば軸線方向および周方向に沿った周縁部を有する円形状であり、軸線方向に沿って貫通する。貯留管透孔９は、その内径が立て樋１０の内径に比べて小さくなるように形成される。
【００２５】
立て樋底部１３から排出可能な流量よりも大きい流量の雨水が立て樋１０内に導かれると、余剰分の雨水が最終的に軒樋１４から溢れ出てしまう恐れがある。一時貯留管８を設けることによって、余剰分の雨水が一時的に貯留されるので、軒樋１４から溢れ出る不具合を解消することができる。
【００２６】
樋体５は、受樋である軒樋１４をさらに有する。軒樋１４は、上方に開放して設けられ、屋根３から雨水を受ける。軒樋１４は、大略的に半円筒状に形成される。軒樋１４は、屋根の他端部３ｂに対して、下方で、上方に開放した状態で臨み、かつその周方向の一部が屋根３の他端部３ｂよりも側壁１１から離反した位置に配置される。さらに軒樋１４は、略水平に、屋根３の他端部３ｂに沿って設けられる。立て樋１０と軒樋１４とは、一時貯留管８を設けないときには、直接連結されてもよいし、たとえば呼び樋１５で連結されてもよい。また立て樋１０と軒樋１４とは、一時貯留管８を設けるときには、一時貯留管８によって連結されてもよいし、一時貯留管８および呼び樋１５で連結されてもよい。本実施の形態では、呼び樋１５が軒樋１４と一時貯留管８とを連結する。雨水は、屋根３から軒樋１４によって受けられ、軒樋１４から呼び樋１５および一時貯留管８を介して立て樋１０に導かれる。また一時貯留管８および軒樋１４の少なくともいずれか一方には、虫などを除去するためのフィルタなどの除去手段が設けられる。
【００２７】
開閉手段６は、立て樋１０の下端部１０ａに設けられる。開閉手段６は、具体的には立て樋１０内に配置され、立て樋１０の立て樋底部１３に設けられる。開閉手段６は、立て樋１０内の雨水の水位に応じて、立て樋１０内の水路を開閉する。立て樋１０内の雨水の水位が、予め定める設定水位を超えない範囲では、開閉手段６は、図１に示すように立て樋１０内の水路を閉塞する。開閉手段６が立て樋１０内の水路を閉塞する状態では、雨水が立て樋１０内に貯水される。立て樋１０内の雨水の水位が、前記設定水位以上になると、開閉手段６は、図４に示すように立て樋１０内の水路を開放する。開閉手段６が立て樋内の水路を開放する状態では、底部透孔１３ａを介して、雨水が排水路４に導かれる。
【００２８】
立て樋１０の立て樋底部１３には、たとえば泥などの沈殿物１６が沈殿している。沈殿物１６は、開閉手段６が立て樋１０内の水路を開放したときに、雨水とともに立て樋１０内から排出される。このように沈殿物１６は、開閉手段６による雨水の排出動作に伴って、立て樋１０内から排出される。これによって利用者が開閉手段６を操作したり、ドレーン管などの特別な手段を設けることなく、沈殿物１６を自動的に排出することができる。さらに開閉手段６が立て樋１０の立て樋底部１３に設けられるので、開閉手段６を立て樋１０の側部に設ける場合に比べて、立て樋１０内の雨水の水圧を最大限に利用して、沈殿物１６を容易に排出することができる。
【００２９】
開閉手段６は、詳細には、立て樋１０内に配置される弁体２０および弁座２１を有する。弁体２０は、立て樋１０の立て樋底部１３に対向して設けられる。弁体２０は、立て樋底部１３に対して変位可能に設けられる。具体的には弁体２０は、立て樋底部１３に対して、第１水平方向Ｂに平行な弁体軸線Ｌ２０まわりに角変位可能に設けられる。第１水平方向Ｂは、鉛直方向Ａに垂直な水平方向のうち、予め定める一方向である。弁体２０は、立て樋１０の立て樋底部１３に対して、立て樋１０内の水路を閉塞する水路閉塞位置２２と、立て樋１０内の水路を開放する水路開放位置２３とにわたって角変位する。水路開放位置２３は、弁体２０が水路閉塞位置２２から最も角変位して配置される水路最大開放位置２３ａを含む。
【００３０】
弁体２０は、弁座２１に当接される基部２０ａと、基部２０ａと一体に設けられる接続部２０ｂとを有する。基部２０ａは、大略的に円板状に形成される。基部２０ａは、その厚み方向一方側の凸状の一表面部が弁座２１に対向して設けられる。接続部２０ｂは、基部２０ａの周方向一部から半径方向外方に向けて突出して設けられる。接続部２０ｂには、基部２０ａの厚み方向および半径方向に垂直に貫通する透孔が形成される。接続部２０ｂの透孔は、軸線方向および周方向に沿った周縁部を有する円形状である。
【００３１】
弁体２０は、たとえばヒンジなどで実現される弁体連結部２４によって立て樋底部１３に連結される。弁体連結部２４は、連結部分２４ａを有する。連結部分２４ａは、立て樋１０の軸線Ｌ１０と略平行に、立て樋底部１３から上方に向けて延びる板状である。連結部分２４ａの上端部には、その厚み方向に貫通する円形状の透孔が形成される。本実施の形態では、連結部分２４ａと同様の構成の他の連結部分（図示せず）が、弁体２０の接続部２０ｂを挟む位置に設けられる。本実施の形態では、弁体連結部２４と同様の構成のアーム連結部２５が、弁座２１を挟む位置で立て樋底部１３に設けられる。このように弁体連結部２４によって、弁体２０が、立て樋底部１３に対して弁体軸線Ｌ２０まわりに角変位可能に連結される。
【００３２】
弁座２１は、大略的に円筒状に形成される。弁座２１は、可撓性および弾発性を有する。本実施の形態では、弁座２１は、軸線方向の寸法に比べて半径方向の寸法が大きくなるように形成される。弁座２１の内径は、底部透孔１３ａの内径以上である。弁座２１は、たとえば下方に向かうにつれて拡開するように、立て樋底部１３に設けられる。弁座２１は、底部透孔１３ａの周縁部近傍に、周方向全周にわたって設けられる。水路閉塞位置２２では、弁座２１は、弁体２０の前記一表面部で、弁体２０と周方向全周にわたって弾発的に当接する。このとき弁体２０は、立て樋底部１３と略平行に配置される。水路開放位置２３では、弁座２１は、弁体２０が弁座２１から離反する方向に角変位して、前記一表面部における弁体２０との周方向全周にわたる当接が解除されている。
【００３３】
取水手段７は、立て樋１０内の雨水を取り出すための手段であって、開放手段６よりも上方に設けられる。取水手段７は、立て樋１０の外周部に設けられる。取水手段７は、立て樋１０内の水路を開閉するためのバルブなどの手段を有する。このバルブを利用者が操作することによって、貯水される雨水を有効に再利用することができる。
【００３４】
貯水装置１は、操作手段３０および銅イオン供給手段３１をさらに含んで構成される。操作手段３０は、立て樋１０内に配置され、立て樋１０内の水路を開閉するために開閉手段６を操作する。操作手段３０は、浮力体３２、アーム部３３および連結索条３４を含んで構成される。浮力体３２は、立て樋１０内の雨水の水位に応じて変位する。浮力体３２は、フロートと呼ばれ、雨水に対して浮く物体である。たとえば浮力体３２は、雨水の密度に比べて小さい密度を有する。
【００３５】
浮力体３２は、円筒状に形成される軸線方向中間部３２ａを有する。浮力体３２の軸線方向中間部３２ａは、その外径が貯留管底部９の透孔の内径とほぼ同一に形成される。浮力体３２は、その軸線方向両端部３２ｂ，３２ｃが軸線方向両側に向かうにつれて先細状に形成される。軸線方向両端部３２ｂ，３２ｃの最も突出する部分は、浮力体３２の軸線を通る位置にある。具体的には浮力体３２は、その軸線方向両端部３２ｂ，３２ｃが軸線方向両側に向かうにつれて突出する半球状に形成される。
【００３６】
浮力体３２は、立て樋１０内の水路が閉塞される状態では、立て樋１０内に完全に落ち込まないように、その軸線方向中間部３２ａが貯留管底部９の周縁部に嵌り込んで保持される。貯留管底部９の周縁部で保持される状態では、一時貯留管８内に導かれた雨水は、貯留管底部９の透孔の周縁部近傍に形成される貫通孔によって、立て樋１０内に導かれる。雨水が一時貯留管８内に導かれて、一時貯留管８内の雨水の水位が浮力体浮上水位以上になると、浮力体３２が上方に向けて変位して貯留管底部９から離反する。前記浮力体浮上水位は、雨水が立て樋１０と一時貯留管８とにわたって貯水されている状態で、浮力体３２に作用する浮力が、浮力体３２に作用する重力による下方の力を超えるときの水位である。浮力体３２が上方に変位すると、一時貯留管８の貯留管底部９の透孔が雨水が立て樋１０内に導かれる。
【００３７】
図４に示すように、雨水が立て樋１０内と一時貯留管８内とにわたって貯留されるときには、浮力体３２が上方に変位して貯留管底部９から離反している。このとき浮力体３２の変位に伴って、弁体２０が水路開放位置２３に配置されるので、立て樋１０内の水路が開放されて、雨水が排水路４に導かれる。
【００３８】
一時貯留管８内の雨水が立て樋１０内に導かれるにつれて、浮力体３２は、下方に変位して、雨水の水位が浮力水位よりも下がると、貯留管底部９の周縁部に嵌り込んで保持される。浮力体３２が前述の動作を繰返すことによって、一時貯留管８内の雨水が立て樋１０内に導かれる。浮力体３２の軸線方向下端部３２ｂは、曲面に形成されるので、貯留管底部９に対して傾いた状態で周縁部に嵌り込んだときであっても、浮力体３２が前記周縁部に案内されながら摺動して、軸線方向中間部３２ａをしっかりと嵌り込ませることができる。
【００３９】
アーム部３３は、立て樋底部１３に設けられる。アーム部３３は、浮力体３２の変位に応じて、立て樋底部１３に対して変位可能に設けられる。アーム部３３は、変位することによって、弁体２０を水路閉塞位置２２と水路最大開放位置２３とにわたって変位させる。アーム部３３は、立て樋底部１３に対して、弁体軸線Ｌ２０と平行なアーム軸線Ｌ３３まわりに角変位可能に設けられる。アーム軸線Ｌ３３は、弁体軸線Ｌ２０に比べて上方に配置される。アーム部３３は、前記アーム連結部２５によって、立て樋底部１３に連結される。アーム連結部２５は、アーム部３３がアーム軸線Ｌ３３まわりに角変位可能に保持する。
【００４０】
アーム部３３は、大略的にＪ字状に形成される。アーム部３３は、具体的には支点部３３ａ、力点部３３ｂおよび作用部３３ｃを有する。アーム部３３の支点部３３ａは、その一端部近傍でアーム連結部２５によってアーム軸線Ｌ３３まわりに角変位可能に保持される。支点部３３ａには、その一端部に力点部３３ｂが設けられ、その他端部に作用部３３ｃが設けられる。力点部３３ｂおよび作用部３３ｃは、略平行に配置され、支点部３３から立て樋１０の軸線Ｌ１０に向けて突出する。力点部３３ｂは、弁体２０よりも上方に配置される。力点部３３ｂの先端部は、弁体軸線Ｌ２０およびアーム軸線Ｌ３３と平行にして貫通する環状に形成される。作用部３３ｃは、立て樋底部１３と弁体２０との間に配置される。作用部３３ｃは、アーム部３３が角変位することによって、弁体２０に対して近接および離反する方向に変位する。
【００４１】
連結索条３４は、浮力体３２とアーム部３３とを連結する。連結索条３４は、その一端部３４ａで浮力体３２に連結され、その他端部３４ｂでアーム部３３の力点部３３ｂに連結される。連結索条３４は、たとえばナイロンおよびポリエチレンなどから成り、できるだけ重量の軽いものが用いられる。連結索条３４は、その他端部３３ｂが作用部３３ｃの先端部の周方向に沿って摺動可能に連結される。
【００４２】
前記弁体２０は、立て樋底部１３に設けられるので、雨水によって大きな水圧を受け、開閉しにくい。浮力体３２、アーム部３３および連結索条３４を前述のように構成することによって、浮力体３２に作用する浮力に基づく力を、てこの原理を利用してアーム部３３によって大きくして弁体２０に与える。これによって弁体２０を簡単な構成で容易に角変位させることができる。
【００４３】
銅イオン供給手段３１は、立て樋１０内の雨水に銅イオンを与える。銅イオン供給手段３１は、立て樋内１０に配置され、立て樋１０の上端部１０ｂに連結されて、立て樋１０の下端部１０ａ近傍まで延びて配置される。銅イオン供給手段３１は、たとえば銅めっきなどを施した索条によって実現される。銅イオン供給手段３１は、銅から成る索条によって実現されてもよい。前記索条は、長円および真円などを含む環状のリング片を構成単位とし、複数の各リング片を相互に変位自在に連結した構成、および所定形状を成す単位部材を相互に変位自在に連結した連結体または長尺の連結構造体を含む。
【００４４】
雨水を長期間にわたって立て樋１０内に貯水する場合、たとえば藻類および菌類などが繁殖する可能性がある。立て樋１０内に銅イオン供給手段３１を設けることによって、藻類および菌類などを銅イオンによって死滅させることができる。これによって雨水を長期間にわたって立て樋１０内に貯水する場合であっても、利用者が立て樋１０内を定期的に清掃することなく、清潔に維持することができる。
【００４５】
さらに銅イオン供給手段３１を、立て樋１０の上端部１０ｂと下端部１０ａとにわたって設けることによって、立て樋１０内の雨水に銅イオンを効率良く与えることができる。これによって立て樋１０内の雨水を確実に清潔に維持することができる。したがって利用者にメンテナンスすることを強いることなく、貯水装置１のメンテナンス性を確実に向上することができる。また銅イオン供給手段を索条で構成することによって、雨水に接触する表面積を大きくすることができる。これによって立て樋１０内の雨水に、銅イオンを確実に供給することができる。
【００４６】
図５は、弁体２０が水路閉塞位置２２に配置される状態を説明するための図である。図６は、弁体２０が角変位して水路最大開放位置２３に配置される状態を説明するための図である。図７は、弁体２０が水路最大開放位置２３に配置される状態を説明するための図である。図５〜図７において、厚みを部分的に省略して示す。弁体２０が、図５に示すように水路閉塞位置２２に配置されるとき、立て樋１０内の水路は閉塞されている。このとき前記アーム部３３の力点部３３ｂおよび作用部３３ｃは、弁体２０に略平行に配置される。作用部３３ｃは、たとえば立て樋１０の軸線Ｌ１０に向かうにつれて下方に傾斜する当接部分４０を有する。この当接部分４０は、弁体２０は、水路閉塞位置２２に向けて角変位し、当接部４０との当接が解除されると、水路閉塞位置２２に配置される。作用部３３ｃの当接部４０は、弁体２０を水路閉塞位置２２に向けて角変位させるように角変位されるとき、弁体２０との接触部分が弁体２０の基部２０ａから受ける力に対して、摺動しやすい形状に形成される。また当接部分４０は、弁体２０が水路閉塞位置２２に配置されるとき、弁体２０から離反している。
【００４７】
立て樋１０内に雨水が貯水され、雨水の水位が上昇すると、それに伴って浮力体３２が上方に変位する。浮力体３２の上方への変位に伴って、連結索条３４は、アーム部３３が弁体２０を下方から押圧するように、アーム部３３を角変位させる。アーム部３３が角変位して、作用部３３ｂの当接部４０が弁体２０に当接して、弁体２０を下方から押圧するけれども、雨水の水位が設定水位を超えない範囲では、雨水による弁体２０への水圧によって、立て樋１０内の水路は開放されない。
【００４８】
雨水の水位が設定水位以上になると、作用部３３ｂの当接部４０からの押圧力が、弁体２０に与えられる水圧よりも大きくなり、弁体２０が弁座２１から近接する方向に角変位する。これによって弁体２０と弁座２１との周方向全周にわたる当接が解除されるので、立て樋１０内の水路が開放されて、図６の矢符４５に示すように、雨水が私有排水管４ｂに排出される。このとき立て樋底部１３近傍の雨水は、立て樋底部１３および弁座２１に沿って掻き揚げられるように流動して、私有排水管４ｂに排出される。この雨水の流動に伴って、立て樋底部１３に沈殿する泥などの沈殿物１６は、立て樋底部１３および弁座２１に沿って掻き揚げられるように流動して、雨水とともに私有排水管４ｂに排出される。これによって沈殿物１６が立て樋底部１３に残留することなく、立て樋底部１３から除去される。
【００４９】
雨水の水位が設定水位を超えて、浮力体３２がさらに上方に変位すると、弁体２０が作用部３３ｃによって押圧されて、図７に示すように、水路最大開放位置２３ａに配置される。アーム部３３には、図７の仮想線で示す規制部材５０が設けられている。この規制部材５０が、弁体２０が水路最大開放位置２３ａに配置されるときには、立て樋１０の内周部に当接して、アーム部３３の角変位を規制する。これによってアーム部３３が、雨水の水位の上昇に伴って弁体２０を水路最大開放位置を超えて角変位させるように、角変位することによって、弁体２０から離反して、弁体２０を操作することができなくなる不具合を解消することができる。
【００５０】
立て樋１０内から排出するのに必要な分だけ雨水が排出されると、浮力体３２の下方への変位に伴って、作用部３３ｃの当接部４０は、弁体から離反する方向に変位するので、弁体２０は、水路閉塞位置２２に向けて角変位し、当接部４０との当接が解除されると、水路閉塞位置２２に配置される。作用部３３ｃの当接部４０は、弁体２０から離反するように傾斜して設けられるので、弁体２０は、立て樋１０内の水路を閉塞するとき、水路閉塞位置２２に速やかに配置される。これによって立て樋１０内の雨水が必要以上に排出されることが防がれ、所望の水位の雨水を立て樋１０内に貯水することができる。また、立て樋１０内の雨水による水圧は、上下方向Ａに沿って与えられるので、立て樋１０が設けられる建物２に与える負担を可及的に小さくすることができる。
【００５１】
このように開閉手段６を、浮力とてこの原理とを好適に利用した操作手段３０と協働して用いることによって、電源を必要とする電磁弁などを用いることなく、簡単な構成で、所望の水位の雨水を立て樋１０内に貯水することができる。さらに開閉手段６の水路の開放動作に伴って、沈殿物１６を、雨水とともに排水路４に自動的に導くことができる。これによって沈殿物１６を取り除くための特別な手段を別途に設けることなく、かつ利用者が定期的に操作することなく、立て樋１０内のメンテナンスを自動的に行うことができる。したがってコストを削減することができるとともに、利用者によるメンテナンスを不要にすることができる。
【００５２】
図８は、貯水装置１の寸法の一例を説明するための図である。図８において、厚みを部分的に省略して示している。図８の例では、立て樋１０は、軸線方向の寸法Ｄ１が２〜４メートルであり、内径Ｄ２が１４０ミリメートルであり、底部透孔１３ａの内径Ｄ３が５０〜６０ミリメートルであるように形成される。本実施の形態では、立て樋１０の軸線方向の寸法Ｄ１は、４メートルであり、底部透孔１３ａの内径Ｄ３は、５０ミリメートルである。この立て樋１０によって貯水可能な貯水量は、前述の各寸法に基づいて、１本あたり１５．４リットル／メートル程度になる。したがって４ｍの立て樋１０では、１本あたりに６１．６リットル程度の雨水を貯水することができる。一般家屋などの建物２（２階建て）には、立て樋１０が複数本設けられているので、たとえば４本の立て樋１０があるとすると、４本の立て樋１０によって２５０リットル程度の雨水を、貯水することができる。洗車に必要な水の量は、およそ２６．５リットル程度であるので、複数本の立て樋１０によって洗車するために充分な雨水を貯水することができる。また余った雨水を、草木に散布するなど有効に利用することができる。
【００５３】
たとえば大阪府において、降雨量が最も少ない月、たとえば１２月には、１平方メートルあたりに３４ミリメートル程度の雨が降る。たとえば床面積が６６平方メートル（２０坪）の建物２を想定した場合、この建物２の屋根には、２２４４リットルの雨が降る。このように降雨量が最も少ない時期であっても、洗車に利用するために必要かつ充分な雨が降っており、この雨水を立て樋１０内に必要かつ充分に貯水することができる。このように貯水装置１を建物２に設けることによって、特に降雨量の少ない沖縄などの地域には有効である。
【００５４】
また前述の量の雨水を立て樋１０内に貯水するときには、弁体２０には、雨水から７．８キログラム程度もの水圧が下方に向けて与えられ、浮力体３２には、２．８キログラム程度の浮力が上方に向けて与えられている。前述のようにてこの原理を利用して、浮力だけでは足りない上方へ向かう外力を操作手段３０によって大きくして開閉手段６に与えることで、立て樋１０内の水路の開放動作を好適に行うことができる。これによって雨水を立て樋１０内に確実に貯水すること、および余分な雨水とともに沈殿物１６を排出することができる。
【００５５】
前述の実施の形態は、本発明の例示に過ぎず、発明の範囲内において構成を変更してもよい。たとえば立て樋１０は、円筒状のほかに角筒状であってもよい。弁座２１は、円筒状に形成されていてもよいし、すり鉢状に形成されていてもよい。また銅イオン供給手段３１を、立て樋１０の内周部に沿って設けられる円筒状に形成してもよい。また銅イオン供給手段３１の代わりに、弁体２０、アーム部３３および連結索状３４などに銅めっきするなどして銅イオン供給手段の役割を担わせてもよい。作用部３３ｃの当接部分４０は、基部２０ａに対して摺動しやすい形状であればよく、たとえばアーム軸線Ｌ３３に垂直な断面形状が先端に向けて突出する半球状に形成されてもよいし、先端に向かうにつれて力点部３３ｂに近接する方向に傾斜するように形成されてもよい。また浮力体３２の軸線方向中間部３２ａは、その外径が貯留管底部９の透孔の内径よりも小さく形成されてもよい。
【００５６】
【発明の効果】
請求項１記載の本発明によれば、建物の屋根から受けた雨水を、開閉手段を用いて立て樋内の水路を開閉することによって、予め定める設定水位を超えない範囲内で、立て樋内に確実に貯水することができる。これによってタンクなどの貯水のための手段を別途に設けることなく、簡単な構成で、予め定める水位の雨水を立て樋内に確実に貯水することができる。また貯水された雨水を取水手段によって取り出すことによって、たとえば洗車および草木への散布などに有効に利用することができる。
【００５７】
請求項２記載の本発明によれば、前記開閉手段は、立て樋内の雨水の水位が前記設定水位以上になると、立て樋内の雨水とともに沈殿物を排出可能に水路を開放する。このように立て樋内の雨水の水位に応じた開閉手段の水路の開放動作によって、立て樋内の下方に溜まった汚泥などの沈殿物を、雨水とともに排水路に自動的に導くことができる。これによって沈殿物を取り除くための特別な手段を別途に設けることなく、立て樋内の雨水の水位を調整する手段を用いて、立て樋内のメンテナンスを自動的に行うことができる。したがってコストを削減することができるとともに、利用者によるメンテナンスを不要にすることができる。
【００５８】
請求項３記載の本発明によれば、貯水装置は、立て樋内の雨水に銅イオンを与えるための銅イオン供給手段をさらに含む。これによって立て樋内の雨水を長期間にわたって貯水する場合であっても、銅イオン供給手段によって、藻類および菌類を死滅させることができる。したがって立て樋内の雨水を、長期間にわたって清潔に維持することができるとともに、貯水装置のメンテナンス性をさらに向上することができる。
【００５９】
請求項４記載の本発明によれば、樋体は、上方に開放し、建物の屋根から雨水を受ける受樋をさらに有し、設定水位よりも上方には、雨水を一時的に貯留するための一時貯水手段が設けられる。たとえば短時間で多量の雨が降り、開閉手段で排出可能な流量よりも大きな流量の雨水が受樋から導かれると、余剰分の雨水が立て樋から溢れ、最終的に受樋から溢れ出るおそれがある。これに対して一時貯留手段によって余剰分の雨水が一時的に貯留されるので、雨水が受樋から溢れ出る不具合を解消することができる。
【図面の簡単な説明】
【図１】本発明の実施の一形態である貯水装置１を簡略化して示す断面図である。
【図２】貯水装置１が備えられる建物２を簡略化して示す断面図である。
【図３】建物２を簡略化して示す側面図である。
【図４】貯水装置１が、雨水を排水管に導くときの動作を説明するための図である。
【図５】弁体２０が水路閉塞位置２２に配置される状態を説明するための図である。
【図６】弁体２０が水路最大開放位置２３に向けて角変位した状態を説明するための図である。
【図７】弁体２０が水路最大開放位置２３に配置される状態を説明するための図である。
【図８】貯水装置１の寸法の一例を説明するための図である。
【符号の説明】
１  貯水装置
２  建物
３  屋根
４  排水路
５  樋体
６  開閉手段
７  取水手段
８  一時貯留管
１０  立て樋
１０ａ  下端部
【図１】
2004211385.tif 000003
【図２】
2004211385.tif 000004
【図３】
2004211385.tif 000005
【図４】
2004211385.tif 000006
【図５】
2004211385.tif 000007
【図６】
2004211385.tif 000008
【図７】
2004211385.tif 000009
【図８】
2004211385.tif 000010